(57)【特許請求の範囲】
【請求項１】
省エネルギーモード又は通常モードで動作し、前記通常モード動作時にファクシミリ受信の処理を命令するＤＴＭＦ信号を検出するとファクシミリ受信処理を開始する第１制御ユニットと、
前記第１制御ユニットが省エネルギーモード又は省エネルギーモードから通常モードへの復帰中である場合に、前記ＤＴＭＦ信号の検出を行う第２制御ユニットと、
を備え、
前記省エネルギーモード又は前記省エネルギーモードから通常モードへの復帰中に前記第２制御ユニットが前記ＤＴＭＦ信号を検出していれば、前記第２制御ユニットは、前記第１制御ユニットが通常モードへ復帰した後に、前記ＤＴＭＦ信号の検出を含む信号の検出の処理結果を前記第１制御ユニットに通知する、
ファクシミリ装置。
【請求項２】
前記第２制御ユニットは、前記第１制御ユニットが省エネルギーモード又は省エネルギーモードから通常モードへの復帰中である場合に、公衆回線網を介した呼び出し信号であるＣＩ信号の検出をさらに行い、
前記省エネルギーモード又は前記省エネルギーモードから通常モードへの復帰中に前記第２制御ユニットが前記ＣＩ信号を検出していれば、前記第２制御ユニットは、前記第１制御ユニットに省エネルギーモードから通常モードへの復帰リクエストを送信する、
請求項１に記載のファクシミリ装置。
【発明の詳細な説明】
【技術分野】
【０００１】
本発明は、省エネルギーモードを有するファクシミリ装置に関する。
【背景技術】
【０００２】
近年、ファクシミリ通信機能及び通話機能を有するファクシミリ装置に、さらにプリンタ機能及びコピー機能等の複数の機能を複合させた複合型のファクシミリ装置が普及している。
また、省電力化を実現するために、ジョブ要求に応じて即時に動作が可能である通常モードと、通常モードより消費電力を減少させた省エネルギーモードとの間を移行可能な複合型のファクシミリ装置が提案されている。
【先行技術文献】
【特許文献】
【０００３】
【特許文献１】特開２００５−３５４３７６号公報
【発明の概要】
【発明が解決しようとする課題】
【０００４】
省エネルギーモードにおいては、ファクシミリ着信に関する信号の検出を処理する制御部及びモデム等はスリープ状態に移行している。このような省エネルギーモードの際に呼出信号であるＣＩ（Ｃａｌｌ  Ｉｎｄｉｃａｔｏｒ）信号を受信した場合、ファクシミリ装置は、ＣＩ信号の検出に応じて省エネルギーモードから復帰するよう制御される。しかし、ファクシミリ装置が省エネルギーモードから復帰するまで、制御部はＣＩ信号が検出された後の信号の検出処理を行えない。その結果、制御部は、ＣＩ信号以降の信号の検出をファクシミリ装置が通常モードに復帰した後に行うので、ファクシミリ着信の処理に時間がかかるという問題があった。
【０００５】
本発明の課題は、ファクシミリ装置において、省エネルギーモード中におけるファクシミリ着信の処理にかかる時間を短縮することにある。
【課題を解決するための手段】
【０００６】
以下に、課題を解決するための手段として複数の態様を説明する。これら態様は、必要に応じて任意に組み合せることができる。
本発明の一見地に係るファクシミリ装置は、第１制御ユニットと第２制御ユニットとを備える。第１制御ユニットは、省エネルギーモード又は通常モードで動作し、公衆回線網を介した着信を制御する。第２制御ユニットは、第１制御ユニットが省エネルギーモード又は省エネルギーモードから通常モードへの復帰中である場合に、第１制御ユニットに代わって公衆回線網を介したＣＩ（Ｃａｌｌ  Ｉｎｃｉｃａｔｏｒ）信号の検出後の信号検出を処理する。
【０００７】
ここでは、第１制御ユニットが省エネルギーモード又は省エネルギーモードから通常モードへの復帰中であっても、第１制御ユニットに代わって第２制御ユニットがＣＩ信号以後の信号検出の処理を制御できる。従って、第１制御ユニットは、通常モードへ復帰した後は、第２制御ユニットによって処理された信号検出を引き継いでファクシミリ着信の制御を行えばよい。その結果、第１制御ユニットが省エネルギーモード又は省エネルギーモードから通常モードへの復帰中であっても、ファクシミリ着信の処理にかかる時間を短縮できる。また、第１制御ユニットが省エネルギーモード又は省エネルギーモードから通常モードへの復帰中であっても、第２制御ユニットが第１制御ユニットに代わって信号検出の処理を制御するので、ファクシミリ装置において公衆回線網を介した信号を確実に検出できる。
【０００８】
第２制御ユニットは、第１制御ユニットが通常モードへ復帰した後に第２制御ユニットによる処理結果を第１制御ユニットに通知する結果通知部を有していてもよい。
ここでは、結果通知部によって、第２制御ユニットによる処理結果が通常モードへ復帰した後の第１制御ユニットに通知されるので、第１制御ユニットは、第２制御ユニットによる処理を引き継いで速やかにファクシミリ受信の制御を開始できる。
【発明の効果】
【０００９】
本発明では、第１制御ユニットが省エネルギーモード又は省エネルギーモードから通常モードへの復帰中であっても、ファクシミリ装置においてファクシミリ着信の処理にかかる時間を短縮できる。
【図面の簡単な説明】
【００１０】
【図１】ファクシミリ装置の全体構成を示すブロック図。
【図２】基本ブロック及びサブ制御ユニットの内部構成を示すブロック図。
【図３】メイン制御ユニット、サブ制御ユニット及びＮＣＵの間における処理の流れを示すフローチャート。
【発明を実施するための形態】
【００１１】
１．第１実施形態
（１）ファクシミリ装置の概要
以下、図１を参照して、本実施形態におけるファクシミリ装置１を説明する。図１は、本実施形態のファクシミリ装置の全体構成を示すブロック図である。ファクシミリ装置１は、コピー機能、ファクシミリ通信機能、スキャナ機能及びネットワークプリンタ機能を有するいわゆる複合機である。
【００１２】
ファクシミリ装置１は、基本ブロック１０、サブ制御ユニット３０、機能ブロック４０、電力供給装置５０及び電力供給コントローラ６０を備える。ファクシミリ装置１は、さらにシステムバス７０を備えており、ファクシミリ装置１内の各部はシステムバス７０によって互いに接続されている。
また、ファクシミリ装置１には、図示しないケーブルを介して電話機９０が接続され、この電話機９０によって、相手側との間で音声データの送受信、すなわち電話動作を行うことができる。
【００１３】
ファクシミリ装置１には、通常モード及び省エネルギーモードが設定されている。ファクシミリ装置１の状態は、後述するメイン制御ユニット１１のＣＰＵ（Ｃｅｎｔｒａｌ  Ｐｒｏｃｅｓｓｉｎｇ  Ｕｎｉｔ）１２の制御のもと、通常モード及び省エネルギーモードの間を移行できる。通常モードとは、何らかの動作指示があった場合には、ファクシミリ装置１がその動作指示に基づいて直ぐに処理を実行できる状態をいう。省エネルギーモードとは、通常モードの消費電力よりも消費電力が低い状態をいう。例えば、省エネルギーモードでは、ファクシミリ装置１においてメイン制御ユニット１１への電力供給が下げられてメイン制御ユニット１１の各部はスリープ状態となる。また、省エネルギーモードでは、機能ブロック４０への電力供給が下げられ、機能ブロック４０の操作部４２及び表示部４５は非表示状態となり、記録部４６における待機温度を下げた状態等となる。
【００１４】
ファクシミリ装置１は、操作部４２及び表示部４５からの操作入力が一定時間ない場合又は画像データの入力が一定時間ない場合に、ＣＰＵ１２の制御により通常モードから省エネルギーモードに移行される。また、ファクシミリ装置１は、操作部４２及び表示部４５から通常モードへの復帰操作の入力を受け付けた場合に、ＣＰＵ１２の制御により省エネルギーモードから通常モードへと復帰する。さらに本実施形態では、ファクシミリ装置１は、サブ制御ユニット３０から復帰リクエストを受け付ければ、ＣＰＵ１２の制御により省エネルギーモードから通常モードへと復帰するが、詳細は後述する。
【００１５】
基本ブロック１０は、ファクシミリ装置１の基本動作を制御し、また公衆回線網（図中、ＰＳＴＮ：Ｐｕｂｌｉｃ  Ｓｗｉｔｃｈｅｄ  Ｔｅｌｅｐｈｏｎｅ  Ｎｅｔｗｏｒｋ）８０を介した通信の送受信の制御をする。基本ブロック１０は、メイン制御ユニット１１及びＮＣＵ（Ｎｅｔｗｏｒｋ  Ｃｏｎｔｒｏｌ  Ｕｎｉｔ）２０を有する。
【００１６】
ファクシミリ装置１の図示しない主電源がＯＮであり、ファクシミリ装置１が通常モードの場合には、基本ブロック１０に対して電力供給装置５０から電力供給コントローラ６０を介して電力が常に供給される。
また、ファクシミリ装置１が省エネルギーモード中は、電力供給装置５０からメイン制御ユニット１１への電力供給は低減され、メイン制御ユニット１１はスリープ状態となる。一方、ＮＣＵ２０に対しては、ファクシミリ装置１が省エネルギーモード中であっても、電力供給装置５０から一定の電力が供給され、ＮＣＵ２０は、通常モードと同様に公衆回線網８０を介した信号を検知できる。基本ブロック１０及びＮＣＵ２０の詳細は後述する。
【００１７】
サブ制御ユニット３０は、ファクシミリ装置１が省エネルギーモードの状態である又は省エネルギーモードから通常モードへ復帰している際に、メイン制御ユニット１１に代わって、公衆回線網８０を介した通信に関する信号の検出を処理する。ファクシミリ装置１の主電源がＯＮの場合には、ファクシミリ装置１が通常モード及び省エネルギーモードのいずれの状態であっても、サブ制御ユニット３０には電力供給装置５０から一定の電力が供給される。サブ制御ユニット３０の詳細は後述する。
【００１８】
機能ブロック４０は、コピー機能、ファクシミリ通信機能、スキャナ機能及びネットワークプリンタ機能を実行する。機能ブロック４０には、電力供給コントローラ６０を介して、通常モード及び省エネルギーモードに応じた電力が電力供給装置５０から供給される。機能ブロック４０は、読取部４１と、操作部４２と、画像メモリ４３と、コーデック４４と、表示部４５と、記録部４６と、ＬＡＮインターフェース（図中、Ｉ／Ｆ）４７とを有する。
【００１９】
読取部４１は、原稿の画像データを読み取り、読み取った２値化データ等をメイン制御ユニット１１のＣＰＵ１２の指示により所定の出力先へ出力する。
操作部４２は、ワンタッチダイヤルにより宛先を指定するためのワンタッチキー、ファクシミリ装置１に対して送信開始指示を与えるためのスタートキー、電話番号等の入力を行うテンキー及び表示部４５内の反転表示の移動等を行うための矢印キー等を具備する。ユーザによる操作指示は、操作部４２によって受け付けられる。
【００２０】
画像メモリ４３は、受信する画像データと、読取部４１で読み取られて白黒２値に変換され、コーデック４４で符号化された画像データとを一時的に記憶する。
コーデック４４は、所定のプロトコルに対応して画像データを符号化及び復号化する。具体的にコーデック４４は、読取部４１から受け取った画像データを送信のためにＭＨ（Ｍｏｄｉｆｉｅｄ  Ｈｕｆｆｍａｎ）及びＭＲ（Ｍｏｄｉｆｉｅｄ  ＲＥＡＤ）方式等により符号化し、外部装置から受信した画像データを復号化する。また、コーデック４４は、電子メールに添付可能なファイルとして一般的に利用される画像フォーマットであるＴＩＦＦ方式等にも対応して画像データを符号化及び復号化する。
【００２１】
表示部４５は、表示パネル等からなり、ファクシミリ装置１の状態に関する情報、各種操作指示画面及びファクシミリ装置１の状態を表示する。
記録部４６は、例えば電子写真方式のものからなり、受信した画像データを用紙上に画像形成し、用紙を排出する。例えば、読取部４１で読み取った原稿の画像データ、ファクシミリ受信した画像データ、及びＬＡＮを介して受信した画像データ等を用紙上に印刷する。
【００２２】
ＬＡＮ  Ｉ／Ｆ４７は、同じＬＡＮ上に設置された他の機器との間で、ＳＬＰ又はＴＣＰ（Ｔｒａｎｓｍｉｓｓｉｏｎ  Ｃｏｎｔｒｏｌ  Ｐｒｏｔｏｃｏｌ）／ＩＰ（Ｉｎｔｅｒｎｅｔ  Ｐｒｏｔｏｃｏｌ）を利用してデータの送受信を行う。
【００２３】
電力供給装置５０は、交流の商用電源を直流に変換しファクシミリ装置１へ供給する電源装置である。電力供給装置５０は、主電源がオンの状態では、電力供給コントローラ６０の制御のもと、通常モード又は省エネルギーモードに応じた電力をファクシミリ装置１の各部に供給する。
【００２４】
電力供給コントローラ６０は、電磁リレー及びＦＥＴ（電界効果トランジスタ）等を含み、ファクシミリ装置１の各部と電力供給ライン６１を介して接続される。電力供給コントローラ６０は、メイン制御ユニット１１のＣＰＵ１２からの制御命令に従って、電力供給ライン６１の接続及び遮断を行い、通常モード又は省エネルギーモードに応じた電力をファクシミリ装置１の各部に供給する。
【００２５】
（２）基本ブロックの機能構成
次に基本ブロック１０の機能構成について図２を参照して説明する。図２は、基本ブロック及びサブ制御ユニットの内部構成を示すブロック図である。基本ブロック１０は、前述のとおりメイン制御ユニット１１及びＮＣＵ２０を有する。
【００２６】
（２−１）ＮＣＵ
ＮＣＵ２０は、公衆回線網８０に接続されており、電話回線２８を介して発呼及び着呼を含む通信を制御する。本実施形態におけるＮＣＵ２０は、電話回線２８において所定のレベルを超えた信号を検出し電話回線２８の回線変化を検出すれば、メイン制御ユニット１１のＣＰＵ１２又はサブ制御ユニット３０のサブＣＰＵ３１に対して電話回線２８の回線変化を通知する。その後ＮＣＵ２０は、メイン制御ユニット１１のＣＰＵ１２又はサブ制御ユニット３０のサブＣＰＵ３１によって制御される。以下のＮＣＵ２０の説明では、ファクシミリ装置１が通常モードであって、ＮＣＵ２０がメイン制御ユニット１１のＣＰＵ１２によって制御されている例を挙げて説明する。
【００２７】
ＮＣＵ２０は、ＣＭＬリレー２１、第１トランス２２、信号検出回路２３、オフフック検出回路２４、呼出電圧発生回路２５、Ｈリレー２６、第２トランス２７及び電話回線２８を有する。
【００２８】
ＣＭＬリレー２１は、電話回線２８を、モデム１７と信号検出回路２３とに選択的に接続するために設けられている。ＣＰＵ１２の制御により、ＣＭＬリレー２１がａ接点側に切り換えられたときには、電話回線２８が信号検出回路２３に接続される。一方、ＣＰＵ１２の制御により、ＣＭＬリレー２１がｂ接点側に切り換えられたときには、電話回線２８が第１トランス２２を介してモデム１７に接続される。ファクシミリ装置１が外部装置からのファクシミリ着信を待機している状態では、ＣＭＬリレー２１はａ接点側に接続されている。
【００２９】
信号検出回路２３は、ＣＭＬリレー２１のａ接点側に接続されるように配置され、電話回線２８を介して外部装置から送信されてくる信号を検出して、信号の検知をＣＰＵ１２に通知する。具体的に信号検出回路２３は、呼出信号であるＣＩ（Ｃａｌｌ  Ｉｎｄｉｃａｔｏｒ）信号を検出する。
【００３０】
オフフック検出回路２４は、電話機９０に接続される。オフフック検出回路２４は、電話機９０のオフフック状態を検出して、検出結果をＣＰＵ１２に出力する。オフフック状態とは、電話機９０のハンドセットを取り上げた状態をいう。
【００３１】
呼出電圧発生回路２５は、電話機９０のオフフック状態の検出時に、電話機９０に所定の電流を供給する。具体的に呼出電圧発生回路２５は、電話機９０のオフフック状態を検出するために、電話機９０に所定電流を供給する。
また、呼出電圧発生回路２５は、一般的なＣＩ信号と同様の信号である擬似ベル信号を発生して電話機９０を鳴動させ、ユーザにファクシミリの着信を知らせる機能を有する。擬似ベル信号とは、外部装置からのＣＩ信号の受信に対して電話機９０を鳴動させるための着信ベル信号である。呼出電圧発生回路２５は、信号検出回路２３によってＣＩ信号が検出されれば、擬似ベル信号を発生する。
【００３２】
Ｈリレー２６は、電話機９０を電話回線２８と呼出電圧発生回路２５とに選択的に接続するために設けられている。ＣＰＵ１２の制御により、Ｈリレー２６が接点ａ側に切り換えられたときには、電話機９０が電話回線２８側に接続され、Ｈリレー２６が接点ｂ側に切り換えられたときには、電話機９０が呼出電圧発生回路２５側に接続される。なお、ファクシミリ装置１において外部装置からのファクシミリの着信を待機している状態では、Ｈリレー２６がｂ接点側に接続されて、電話機９０と呼出電圧発生回路２５とが接続されている。
第２トランス２７は、電話機９０とモデム１７との間に接続されている。
【００３３】
（２−２）メイン制御ユニット
メイン制御ユニット１１は、ファクシミリ装置１の基本動作を制御し、またＮＣＵ２０の制御を行う。メイン制御ユニット１１は、前述のとおりファクシミリ装置１と同様に省エネルギーモード又は通常モード間を移行して動作する。メイン制御ユニット１１は、ＣＰＵ１２、モデム１７、ＲＯＭ１８及びＲＡＭ１９を有する。
【００３４】
ＣＰＵ１２は、所定のプログラムに従って、ファクシミリ装置１を構成する各部を制御する。またＣＰＵ１２は、ＣＩ信号検出部１３、ＤＴＭＦ検出部１４、受信制御部１５及びモード通知部１６を含む。後述するように、ＣＩ信号検出部１３、ＤＴＭＦ検出部１４、受信制御部１５及びモード通知部１６は、ファクシミリ装置１が通常モードである場合にのみ以下の動作を行う。
【００３５】
ＣＩ信号検出部１３は、電話回線２８に回線変化があった場合に信号検出回路２３がＣＩ信号を検出したかどうか判断する。
ＤＴＭＦ（Ｄｕａｌ  Ｔｏｎｅ  Ｍｕｌｔｉ  Ｆｒｅｑｕｅｎｃｙ）信号検出部１４は、外部装置からファクシミリ装置１に対して送出されたＤＴＭＦ信号の受信を行う。本実施形態では、ＤＴＭＦ信号とは、ファクシミリ受信の処理を命令する信号であって、ユーザによる電話機９０のダイヤルキー（図示せず）の押下により生成される。
【００３６】
受信制御部１５は、ＣＩ信号検出部１３がＣＩ信号を検出したと判断された場合にＮＣＵ２０を制御する。具体的には、受信制御部１５は、ＮＣＵ２０のリレーを制御し、ファクシミリ着信の処理を行う。例えば、受信制御部１５は、Ｈリレー２６を接点ｂ側に接続させて呼出電圧発生回路２５から出力される擬似ベル信号によって、電話機９０において着信ベルを鳴動させる。また、受信制御部１５は、ＤＴＭＦ検出部１４によってＤＴＭＦ信号が検知された場合には、ＣＭＬリレー２１をｂ接点側に切り換え、電話回線２８とモデム１７とを接続させ、ファクシミリ装置１におけるファクシミリ受信の処理を開始する。
【００３７】
モード通知部１６は、ファクシミリ装置１におけるモードの移行があれば、モードの移行をサブ制御ユニット３０へ通知する。例えば、ファクシミリ装置１が通常モードから省エネルギーモードへ移行を開始する場合、又は省エネルギーモードから通常モードへ復帰した場合に、モードの移行の通知をサブ制御ユニット３０へと出力する。
【００３８】
モデム１７は、デジタル信号とアナログ信号を相互変換する変復調装置であり、ファクシミリ通信用のファクシミリモデムの機能を有する。モデム１７は、ＮＣＵ２０と直接接続されている。
【００３９】
ＲＯＭ（Ｒｅａｄ  Ｏｎｌｙ  Ｍｅｍｏｒｙ）１８は、ＣＰＵ１２に読み込まれる各種プログラムを記憶している。
ＲＡＭ（Ｒａｎｄｏｍ  Ａｃｃｅｓｓ  Ｍｅｍｏｒｙ）１９は、予め登録された各種設定情報を記憶するＣＰＵ１２の主メモリであり、各種プログラムを実行するワークエリアとして機能する。
【００４０】
このような基本ブロック１０において、ＮＣＵ２０において電話回線２８の回線変化が起こり信号検出回路２３によってＣＩ信号を検出されれば、呼出電圧発生回路２５により擬似ベル信号が出力され、電話機９０の着信ベルが鳴動する。このときＨリレー２６はｂ接点側に接続されており、Ｈリレー２６を介して呼出電圧発生回路２５からの擬似ベル信号は電話機９０へと出力される。
その後電話機９０の着信ベルの鳴動を聞いたユーザが電話機９０をオフフックし、電話機９０における所定のダイヤルキーを押下すれば、ＤＴＭＦ信号が生成される。生成されたＤＴＭＦ信号がＤＴＭＦ検出部１４によって検出されれば、受信制御部１５によってＣＭＬリレー２１がｂ接点側に切り換え、電話回線２８とモデム１７とが接続され、ファクシミリ装置１におけるファクシミリ受信処理が開始される。
【００４１】
（３）サブ制御ユニットの機能構成
サブ制御ユニット３０は、ファクシミリ装置１が省エネルギーモード又は省エネルギーモードから通常モードへの復帰の際に、メイン制御ユニット１１に代わって、公衆回線網８０を介した通信に関する信号検出の処理を行う。サブ制御ユニット３０について、再び図２を参照して説明する。
【００４２】
上記のとおり、ファクシミリ装置１が通常モードで動作している場合には、メイン制御ユニット１１がＮＣＵ２０を制御する。すなわち、信号検出回路２３によるＣＩ信号の検出を判断し、その後ＤＴＭＦ信号を検出すれば、メイン制御ユニット１１がファクシミリ装置１におけるファクシミリ受信の処理を行う。しかし、メイン制御ユニット１１が省エネルギーモードである場合又は省エネルギーモードから通常モードへ復帰している場合には、ＤＴＭＦ信号を検出できない。
そこで、メイン制御ユニット１１が省エネルギーモード又は省エネルギーモードから通常モードへの復帰中である際には、サブ制御ユニット３０がＮＣＵ２０を制御する。
【００４３】
サブ制御ユニット３０は、サブＣＰＵ３１及びＤＴＭＦ処理結果記憶部３５を有する。
サブＣＰＵ３１は、モード通知部１６から、ファクシミリ装置１が通常モードから省エネルギーモードへ移行する移行通知を受信した後、省エネルギーモードから通常モードへの復帰の通知を受信するまで、ＮＣＵ２０を制御する。サブＣＰＵ３１は、サブＣＩ信号検出部３２、サブＤＴＭＦ検出部３３及び結果通知部３４を有する。
【００４４】
サブＣＩ信号検出部３２は、電話回線２８に回線変化があった場合に信号検出回路２３がＣＩ信号を検出したかどうか判断する。また、サブＣＩ信号検出部３２は、ＣＩ信号を検出したと判断した場合には、メイン制御ユニット１１のＣＰＵ１２に対して省エネルギーモードから通常モードへの復帰のリクエストを送信する。
【００４５】
サブＤＴＭＦ検出部３３は、ファクシミリ受信の処理を命令する信号であるＤＴＭＦ信号を検出する。また、サブＤＴＭＦ検出部３３は、受信したＤＴＭＦ信号をＤＴＭＦ処理結果記憶部３５に格納する。
【００４６】
結果通知部３４は、モード通知部１６からファクシミリ装置１の通常モードへの復帰通知を受信した場合に、メイン制御ユニット１１の代わりにサブ制御ユニット３０が行った処理結果をメイン制御ユニット１１のＣＰＵ１２へと通知する。例えば、結果通知部３４は、ＣＩ信号の検出通知及び／又はＤＴＭＦ信号の検出通知をメイン制御ユニット１１へ通知する。本実施形態では、結果通知部３４は、ファクシミリ装置１の通常モードへの復帰通知を受信すれば、サブ制御ユニット３０においてＣＩ信号の検出及びＤＴＭＦ信号の検出を終えた後に、処理結果をメイン制御ユニット１１へ通知する。
【００４７】
ＤＴＭＦ処理結果記憶部３５には、サブＤＴＭＦ信号検出部３３によって検出されたＤＴＭＦ信号が格納される。ＤＴＭＦ処理結果記憶部３５には格納されたＤＴＭＦ信号は、結果通知部３４がメイン制御ユニット１１へと処理結果を通知する際に参照される。
【００４８】
（４）メイン制御ユニット及びサブ制御ユニットによるＮＣＵの制御
次に、メイン制御ユニット１１及びサブ制御ユニット３０によるＮＣＵ２０の制御の流れを、図３を参照して説明する。図３は、メイン制御ユニット１１、サブ制御ユニット３０及びＮＣＵ２０の間における信号の流れを示すフローチャートである。
以下、通常モードから省エネルギーモードに移行するファクシミリ装置１におけるメイン制御ユニット１１及びサブ制御ユニット３０によるＮＣＵ２０の制御の流れを説明する。
【００４９】
まず、メイン制御ユニット１１のＣＰＵ１２は、ファクシミリ装置１を通常モードから省エネルギーモードへと移行させる（ステップＳ１０１）。続いて、ＣＰＵ１２のモード通知部１６は、省エネルギーモードへの移行をサブ制御ユニット３０のサブＣＰＵ３１に通知する（ステップＳ１０２）。省エネルギーモードへの移行の通知を受ければ、サブＣＰＵ３１はＮＣＵ２０におけるファクシミリ着信処理を開始し、ＣＩ信号の検出判断及びＤＴＭＦ信号の検出を開始する（ステップＳ１０３）。
【００５０】
その後、ＮＣＵ２０において、電話回線２８の回線変化が検出されると（ステップＳ１０４でＹｅｓ）、ＮＣＵ２０は、回線変化の通知をサブ制御ユニット３０のサブＣＰＵ３１へと通知する（ステップＳ１０５）。
ＮＣＵ２０から回線変化の検出の通知を受信すれば、サブＣＰＵ３１のサブＣＩ信号検出部３２は、信号検出回路２３がＣＩ信号を検出しているかどうか判断する。信号検出回路２３がＣＩ信号を検出していると判断されれば（ステップＳ１０６でＹｅｓ）、サブＣＩ信号検出部３２は、メイン制御ユニット１１のＣＰＵ１２に対して省エネルギーモードから通常モードへの復帰リクエストを送信する（ステップＳ１０７）。
【００５１】
その後、サブＤＴＭＦ検出部３３が、ＤＴＭＦ信号を検出すれば（ステップＳ１０８でＹｅｓ）、サブＤＴＭＦ検出部３３は検出したＤＴＭＦ信号をＤＴＭＦ処理結果記憶部３５に記憶する（ステップＳ１０９）。
【００５２】
一方、サブＣＩ信号検出部３２から省エネルギーモードから通常モードへの復帰リクエストを受信すれば、メイン制御ユニット１１のＣＰＵ１２は、ファクシミリ装置１を通常モードへと復帰させる（ステップＳ１１０）。
その後、ファクシミリ装置１が通常モードへと復帰すれば（ステップＳ１１１でＹｅｓ）、ＣＰＵ１５のモード通知部１６は、通常モードへの復帰通知をサブ制御ユニット３０のサブＣＰＵ３１へと通知する（ステップＳ１１２）。
通常モードへの復帰通知を受信した後、サブ制御ユニット３０の結果通知部３４は、サブ制御ユニット３０による信号の検出の処理結果をメイン制御ユニット１１へと通知する（ステップＳ１１３）。例えば、結果通知部３４は、ＣＩ信号及びＤＴＭＦ信号の検出をメイン制御ユニット１１へ通知する。ここで、結果通知部３４は、ＤＴＭＦ処理結果記憶部３５を参照してＤＴＭＦ信号の検出をメイン制御ユニット１１へ通知してもよい。
【００５３】
サブ制御ユニット３０による信号の検出結果の通知を受信したメイン制御ユニット１１は、その後信号検出の処理結果に応じてＮＣＵ２０の制御を開始する（ステップＳ１１４）。本実施形態では、ファクシミリ受信の命令を示すＤＴＭＦ信号に基づき、受信制御部１５によってＣＭＬリレー２１がｂ接点側に切り換えられ、電話回線２８とモデム１７とを接続させてファクシミリ装置１におけるファクシミリ受信処理が開始される。
【００５４】
ここでは、メイン制御ユニット１１が省エネルギーモード又は省エネルギーモードから通常モードへの復帰中であっても、メイン制御ユニット１１に代わってサブ制御ユニット３０がＣＩ信号の検出後のＤＴＦＭ信号の検出を処理できる。従って、メイン制御ユニット１１は、通常モードへ復帰した後は、サブ制御ユニット３０によって処理されたＤＴＦＭ信号の検出を引き継いでファクシミリ受信の制御を行える。その結果、メイン制御ユニット１１が省エネルギーモード又は省エネルギーモードから通常モードへの復帰中であっても、ファクシミリ着信の処理にかかる時間を短縮できる。また、メイン制御ユニット１１が省エネルギーモード又は省エネルギーモードから通常モードへの復帰中であっても、サブ制御ユニット３０がメイン制御ユニット１１に代わって信号検出の処理を制御する。従って、ファクシミリ装置１において公衆回線網８０を介して送信される信号を確実に検出できる。
また、結果通知部３４によって、通常モードへ復帰した後のメイン制御ユニット１１に対してサブ制御ユニット３０による処理結果が通知される。従って、メイン制御ユニット１１は、サブ制御ユニット３０による処理を引き継いで速やかにファクシミリ受信の制御を開始できる。
（５）特徴
上記実施形態は、下記のように表現可能である。
（Ａ）メイン制御ユニット１１とサブ制御ユニット３０とを備える。メイン制御ユニット１１は、省エネルギーモード又は通常モードで動作し、公衆回線網８０を介した着信を制御する。サブ制御ユニット３０は、メイン制御ユニット１１が省エネルギーモード又は省エネルギーモードから通常モードへの復帰中である場合に、メイン制御ユニット１１に代わって公衆回線網８０を介して送信されたＣＩ信号の検出後の信号検出を処理する。
【００５５】
（Ｂ）サブ制御ユニット３０は、メイン制御ユニット１１が通常モードへ復帰した後にサブ制御ユニット３０による処理結果をメイン制御ユニット１１に通知する結果通知部３４を有している。
【００５６】
２．他の実施形態
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組み合せ可能である。
【００５７】
（ａ）上記の実施形態では、結果通知部３４は、モード通知部１６からファクシミリ装置１の通常モードへの復帰通知を受信した場合に、ＣＩ信号及び／又はＤＴＭＦ信号の検出を終えた後に信号の検出の処理結果をメイン制御ユニット１１へ通知する例を挙げた。
しかし、結果通知部３４は、ファクシミリ装置１の通常モードへの復帰通知を受信すれば、サブ制御ユニット３０においてＣＩ信号の検出又はＤＴＭＦ信号の検出の最中であっても、その時点までに検出した信号の検出の処理結果をメイン制御ユニット１１へ通知してもよい。
【００５８】
（ｂ）上記の実施形態では、ファクシミリ装置１が省エネルギーモード又は省エネルギーモードから通常モードへの復帰している場合には、サブ制御ユニット３０がＣＩ信号の検出判断及びＤＴＭＦ信号の検出を行う例を挙げた。しかし、ファクシミリ装置１が省エネルギーモード又は省エネルギーモードから通常モードへの復帰している場合に、ＣＩ信号の検出判断は、メイン制御ユニット１１側で実行されてもよい。そして、サブ制御ユニット３０は、メイン制御ユニット１１によるＣＩ信号の検出判断後からＤＴＭＦ信号の検出の処理をするユニットであってもよい。
【００５９】
（ｃ）上記の実施形態では、サブＣＰＵ３１のサブＣＩ信号検出部３２が、メイン制御ユニット１１へ復帰リクエストを送信した後に、ＤＴＭＦ信号を検出する例を挙げた。しかし、サブＣＰＵ３１における復帰リクエストの送信及びＤＴＭＦ信号の検出のタイミングはこの例に限定されず、復帰リクエストの送信とＤＴＭＦ信号の検出は同時のタイミングであってもよい。また、ＤＴＭＦ信号の検出された後に復帰リクエストの送信が実行されてもよい。
【産業上の利用可能性】
【００６０】
本発明は、省エネルギーモードを有するファクシミリ装置に広く適用できる。
【符号の説明】
【００６１】
１      ファクシミリ装置
１０    基本ブロック
１１    メイン制御ユニット
１２    ＣＰＵ
１３    ＣＩ信号検出部
１４    ＤＴＭＦ検出部
１５    受信制御部
１６    モード通知部
１７    モデム
１８    ＲＯＭ
１９    ＲＡＭ
２０    ＮＣＵ
２１    ＣＭＬリレー
２２    第１トランス
２３    信号検出回路
２４    オフフック検出回路
２５    呼出電圧発生回路
２６    Ｈリレー
２７    第２トランス
２８    電話回線
３０    サブ制御ユニット
３１    サブＣＰＵ
３２    サブＣＩ信号検出部
３３    サブＤＴＭＦ信号検出部
３４    結果通知部
３５    ＤＴＭＦ処理結果記憶部
４０    機能ブロック
４１    読取部
４２    操作部
４３    画像メモリ
４４    コーデック
４５    表示部
４６    記録部
４７    ＬＡＮインターフェース
５０    電力供給装置
６０    電力供給コントローラ
６１    電力供給ライン
７０    システムバス
８０    公衆回線網
９０    電話機
【図１】
0005790182.tif 000002
【図２】
0005790182.tif 000003
【図３】
0005790182.tif 000004